(57)【要約】      （修正有）【課題】ワックス型と水溶性液剤型の二つの特性を取り入れてほとんど被膜を作ることなく、かつ溶剤の浸透しすぎによる弊害を抑えることにより自然な艶と手触り感があり、風合を損ねることなく、また革の色が変色しにくく、さらに携帯性にも優れていて、必要なときに簡易に使用することができる革クリーナーを提供する。【解決手段】革クリーナー液剤を含浸した不織布２２が装填されていて、順次取り出すことの可能な取出口が開口され、その開口部２３を蓋部２４にて開閉可能に閉鎖している携帯用小袋２と、乾拭き専用の不織布３２が装填されていて、順次取り出すことの可能な取出口が開口されおり、その開口部３３を蓋部３４にて開閉可能に閉鎖している携帯用小袋３とから形成した。【選択図】図２
0003105086.tif 000002
【実用新案登録請求の範囲】
【請求項１】
革クリーナー液剤を含浸した不織布が装填されていて、順次取り出すことの可能な取出口が開口され、その開口部を蓋部にて開閉可能に閉鎖している携帯用小袋と、乾拭き専用の不織布が装填されていて、順次取り出すことの可能な取出口が開口されおり、その開口部を蓋部にて開閉可能に閉鎖している携帯用小袋とから形成したことを特徴とする革クリーナー。
【請求項２】
革クリーナー液剤が含浸された不織布が積層状に装填されており、順次取り出すことの可能な取出口が開口され、その開口部を蓋部にて着脱自在の粘着剤を用いて開閉可能に閉鎖している収納袋と、乾拭き用不織布が積層状に装填されており、順次取り出すことの可能な取出口が開口され、その開口部を蓋部にて着脱自在の粘着剤を用いて開閉可能に閉鎖している収納袋とから形成したことを特徴とする革クリーナー。
【請求項３】
前記革クリーナー液剤は、ワックス成分と乳化剤成分と水を含有する乳化液からなることを特徴とする請求項１または請求項２記載の革クリーナー。
【考案の詳細な説明】
【技術分野】
【０００１】
本考案は、革製品等の艶だし等に使用する革クリーナーに関するものである。
【背景技術】
【０００２】
革クリーナーは、一般に革製品全般の艶だしや保湿保護、汚れ落とし（高級ブランド革製品専用）などのために使用されている。
従来の革クリーナーは、ワックス型と水溶性液剤型があり、ワックス型は、革製品の上に被膜を作って、革製品の艶だしや表面保護をするものであり、水溶性液剤型は、水溶性液剤が革製品に浸透するものである。
また、従来の革クリーナーは、容器入りであって、使用時に付属のスポンジ等に付けて革製品に塗布するものである。
【０００３】
しかしながら、上記の革クリーナーは、ワックス型の場合には被膜を作るため、手触り感が悪くべたついた感じを受け、水溶性液剤型の場合には、革製品に浸透することにより風合を損ね、革の色を濃くするなどの弊害が生じやすくなっていた。さらに、容器入りの革クリーナーは携帯性に欠けるため、必要なときに簡易に使用することができなかった。
【考案の開示】
【考案が解決しようとする課題】
【０００４】
本考案は、上記のような従来の欠点を改善するものであって、ワックス型と水溶性液剤型の二つの特性を取り入れてほとんど被膜を作ることなく、かつ溶剤の浸透しすぎによる弊害を抑えることにより自然な艶と手触り感があり、風合を損ねることなく、また革の色が変色しにくく、さらに携帯性にも優れていて、必要なときに簡易に使用することができる革クリーナーの提供を目的とするものである。
【課題を解決するための手段】
【０００５】
本考案は、かかる目的を達成するものであって、請求項１の考案は、革クリーナー液剤を含浸した不織布が装填されていて、順次取り出すことの可能な取出口が開口され、その開口部を蓋部にて開閉可能に閉鎖している携帯用小袋と、乾拭き専用の不織布が装填されていて、順次取り出すことの可能な取出口が開口されおり、その開口部を蓋部にて開閉可能に閉鎖している携帯用小袋とから形成したことを特徴とする革クリーナーである。
【０００６】
請求項２記載の考案は、革クリーナー液剤が含浸された不織布が積層状に装填されており、順次取り出すことの可能な取出口が開口され、その開口部を蓋部にて着脱自在の粘着剤を用いて開閉可能に閉鎖している収納袋と、乾拭き用不織布が積層状に装填されており、順次取り出すことの可能な取出口が開口され、その開口部を蓋部にて着脱自在の粘着剤を用いて開閉可能に閉鎖している収納袋とから形成したことを特徴とする革クリーナーである。
【０００７】
請求項３記載の考案は、前記革クリーナー液剤は、ワックス成分と乳化剤成分と水を含有する乳化液からなることを特徴とする請求項１または請求項２記載の革クリーナーである。
【考案の効果】
【０００８】
本考案の革クリーナーは、先ず、携帯性に優れている。すなわち、ポケットティッシュの形状なので、場所をとらず、ポケット、バッグ等に入れて持ち運びやすい。また、外出先での使用において、乾拭き専用の不織布が付いているので、利便性が高い。
【０００９】
次に、本考案の革クリーナーは、他製品に比べ、塗布むらが起こりにくい。すなわち、革製品に直接振りかけて塗布むらを起こしたり、スポンジ等に取る量が少な過ぎて全体に塗布するのに何度も繰り返し作業して塗布むらを起こしたりすることがない。
また、本考案の革クリーナーは、ポケットティッシュタイプの小袋から取り出しだけで塗布作業が行えるので、作業手順が簡単である。
【００１０】
さらに、クリーナー液剤の塗布後に乾拭き不織布で磨くことにより、以下の効果が生じる。
自然な艶を取り戻す。
革本来の柔らかさを取り戻し、乾燥後による表面の目に見えない凹凸を少なくして色のくすみを消す効果がある。
余分な薬剤が残らないので、べたつきが少なく、自然な手触りになる。
【考案を実施するための最良の形態】
【００１１】
以下、図面に従って本考案の革クリーナーについて詳述する。
【００１２】
図１，図２において、１は、本考案の革クリーナーであって、該革クリーナー１は、革クリーナー液剤を含浸した不織布を収納したクリーナー用携帯小袋２と革クリーナー液剤を含浸していない不織布を収納した乾拭き用携帯小袋３で主としてからなっている。
【００１３】
革クリーナー液剤を含浸した不織布を収納したクリーナー用携帯小袋２は、図１，図２に示すように、ポケットティッシュ様の小袋本体２１に革クリーナー液剤を含浸した不織布２２が装填されていて、小袋本体２１には順次取り出すことの可能な開口部２３が形成され、蓋部２４にて開閉可能に閉鎖されている。この携帯小袋２はポケットティッシュ（ウェットティッシュ）様の形態をなしているので、場所をとらず、ポケット、バッグ等に入れて持ち運びやすい利点を有する。携帯小袋２には、開口部２３が形成されているので、順次取り出すことができ、必要に応じて使用可能である。また、この開口部２３は、蓋部２４にて粘着剤を用いて開閉可能に密封されているので、クリーナー液剤は蒸散することが防止されており、しかも必要に応じて簡易に開封することが可能である。蓋部２４は開口部２３に当接する個所は不透明とし、その外周は透明とすることにより美観を得ることができるが、これに限らない。
【００１４】
革クリーナー液剤としては、例えばワックス成分と乳化剤成分と水とを含有するものであることが望ましい。ワックス成分としては例えばカルバナワックス等の各種ワックスやポリシロキサン等が使用され、乳化剤成分としてノニオン系やアニオン系乳化剤、油、レベリング剤等が使用され、水とワックスとともに乳化液を形成する。さらに、ビタミンＥを配合することにより、ビタミンＥの酸化防止作用により革の劣化を防止することが可能である。また、上記油としてオリーブ油を配合することにより、オリーブ油の柔軟加脂効果により革の乾燥を防ぎ、潤いを与えることが可能である。必要に応じて香料成分や殺菌剤成分を含有することができる。
【００１５】
革クリーナー液剤を含浸していない不織布を収納した乾拭き用携帯小袋３は、図１，図２に示すように、ポケットティッシュ様の小袋本体３１に乾拭き専用の不織布３２が装填されていて、小袋本体３１には順次取り出すことの可能な開口部３３が形成され、蓋部３４にて開閉可能に閉鎖されている。この携帯小袋３はポケットティッシュ様の形態をなしているので、場所をとらず、ポケット、バッグ等に入れて持ち運びやすい利点を有する。携帯小袋３には、開口部３３が形成されているので、順次取り出すことができ、必要に応じて使用可能である。クリーナー液剤の塗布後にこの乾拭き不織布で磨くことにより、自然な艶を取り戻すことができ、革本来の柔らかさを取り戻し、乾燥後による表面の目に見えない凹凸を少なくして色のくすみを消すことができ、しかも余分な薬剤が残らないので、べたつきが少なく、自然な手触りにすることが可能である。なお、図においては、携帯小袋２，３はプラスチックフィルム等で連結した状態を示したが、この場合には一体性があり、不測の紛失を防止し、携帯に便利であるなどの利点を有するが、これに限らず分離状態であっても良い。
【図面の簡単な説明】
【００１６】
【図１】本考案に係る革クリーナーの斜視図である。
【図２】本考案に係る革クリーナーの断面図である。
【符号の説明】
【００１７】
１    革クリーナー
２    クリーナー用携帯小袋
２１  小袋本体
２２  不織布
２３  開口部
２４  蓋部
３    乾拭き用携帯小袋
３１  小袋本体
３２  不織布
３３  開口部
３４  蓋部
【図１】
0003105086.tif 000003
【図２】
0003105086.tif 000004